(57)【要約】      （修正有）【課題】発光動作時にトリガー放電の漏洩を少ない部材かつ単純構成で効果的に抑止し得るストロボ装置を提供する。【解決手段】ストロボ装置１４は、発光を行うキセノン管と、キセノン管からの発光を反射させる反射傘と、キセノン管の発光トリガーを行うトリガーコイル１１ｄと、トリガーコイル１１ｄが実装された島部１１ｘを有する電気基板１１と、島部とトリガーコイル１１ｄとを取り囲むように電気的被覆を行う被覆手段２１とを具備する。【選択図】図４
2010181735.tif 000002
【特許請求の範囲】
【請求項１】
ストロボ装置において、
発光を行うキセノン管と、
上記キセノン管からの発光を反射させる反射傘と、
上記キセノン管の発光トリガーを行うトリガーコイルと、
上記トリガーコイルが実装された島部を有する電気基板と、
上記島部と上記トリガーコイルとを取り囲むように電気的被覆を行う被覆手段と、
を具備することを特徴とするストロボ装置。
【請求項２】
上記被覆手段は絶縁材料からなり、一つの開口を有する袋形状に形成されており、該開口から上記島部と上記トリガーコイルに被せられることを特徴とする請求項１に記載のストロボ装置。
【請求項３】
上記被覆手段はシリコーン材からなることを特徴とする請求項１又は請求項２に記載のストロボ装置。
【発明の詳細な説明】
【技術分野】
【０００１】
この発明は、ストロボ装置、詳しくは例えば写真撮影等を行う際に補助光を発光する閃光発光装置において、発光時の不発光（非発光，発光抜け，未発光）を抑止する構造に関するものである。
【背景技術】
【０００２】
従来、写真撮影等を行うカメラ等には、撮影対象となる被写体の周囲の環境が暗い場合等に補助光を発光させて被写体を照射する閃光発光装置（以下、ストロボ装置という）をカメラ本体内部に具備しているものが広く普及している。
【０００３】
このような従来のストロボ装置内蔵型カメラでは、小型化設計等のための内部構成部材のレイアウト等を考慮して、ストロボ装置に関する電気回路と、カメラの主要回路等とを同一基板（いわゆるメイン基板）上に実装するような場合がある。
【０００４】
一般に、ストロボ装置の電気回路を構成する電気部品には、トリガーコイルのような高電圧を発生させる電気部品が存在する。このような電気部品から発生する高電圧は、カメラ内部の他の電気部品等に悪影響を及ぼす可能性がある。例えば、発光動作を伴う写真撮影時に、このような高電圧が生じた場合、ストロボ装置のストロボ不発光を生じたり、撮影画像信号にノイズを混入させるといった問題が生じる。
【０００５】
そこで、従来のストロボ装置内蔵型カメラでは、ストロボ回路のトリガーコイルから発生する高電圧のリークを防止するための技術が、例えば特開２００６−９８９８０号公報等によって種々提案されている。
【０００６】
上記特開２００６−９８９８０号公報等によって開示されている技術は、トリガーコイルをカバー部材にて覆うというものである。
【０００７】
つまり、ストロボ装置の発光時に発生した高電圧が他の部材（実施例として受光素子）に伝わらないように構成しているものであるが、これによって、上記公報に開示の技術では、トリガーコイルからの高電圧のリークを防止している。
【先行技術文献】
【特許文献】
【０００８】
【特許文献１】特開２００６−９８９８０号公報
【発明の概要】
【発明が解決しようとする課題】
【０００９】
ところが、上記特開２００６−９８９８０号公報等によって開示されている技術は、筐体としてのカバー部材を用意し、その組み付けにも工数がかかるという生産上の問題点がある。
【００１０】
本発明は、上述した点に鑑みてなされたものであって、その目的とするところは、ストロボ装置を用いて補助光を発光させたときにトリガー放電が漏洩（リーク）するために起因して発生するストロボの不発光を少ない部材による単純な構成で抑止することができるストロボ装置を提供することである。
【課題を解決するための手段】
【００１１】
上記目的を達成するために、本発明によるストロボ装置は、発光を行うキセノン管と、上記キセノン管からの発光を反射させる反射傘と、上記キセノン管の発光トリガーを行うトリガーコイルと、上記トリガーコイルが実装された島部を有する電気基板と、上記島部と上記トリガーコイルとを取り囲むように電気的被覆を行う被覆手段とを具備することを特徴とする。
【発明の効果】
【００１２】
本発明によれば、ストロボ装置を用いて補助光を発光させたときにトリガー放電が漏洩（リーク）するために起因して発生するストロボの不発光を少ない部材による単純な構成で抑止し得るストロボ装置を提供することができる。
【図面の簡単な説明】
【００１３】
【図１】本発明の一実施形態のストロボ装置を備えたカメラの外観斜視図。
【図２】図１のカメラを分解して示す分解斜視図。
【図３】図１のカメラの内部メインユニットを取り出して主に背面側を示す外観斜視図。
【図４】図３の内部メインユニットを分解して示す分解斜視図。
【発明を実施するための形態】
【００１４】
以下、図示の実施の形態によって本発明を説明する。
【００１５】
本発明の一実施形態は、本発明を適用し本発明の特徴的構成を有するストロボ装置を内部に備えたカメラを例に挙げて示している。このカメラの例として、例えば光学レンズにより形成される光学像を撮像素子等の光電変換素子を用いて光電変換し、これにより得られる画像信号に基いて静止画像や動画像を表わすデジタルデータを生成し記録し得るように構成される電子的撮像装置であるカメラを例示している。
【００１６】
なお、本実施形態においては、カメラの使用時に被写体に対向する面をカメラの前面というものとする。カメラの使用時に使用者が対面する面をカメラの背面というものとする。また、操作部材のうちシャッターレリーズボタンが配設されている面を上面というものとする。そして、カメラの上面に対向する面を底面というものとする。さらに、カメラの通常の使用状態で両側に配置される面を左側面及び右側面というものとする。この場合における左右の判別は、被写体側からカメラの前面を見たときのカメラに向かって左側又は右側によって区別する。
【００１７】
図１は、本発明の一実施形態のストロボ装置を備えたカメラの外観斜視図である。図２は、図１のカメラを分解して示す分解斜視図である。図３は、図１のカメラの内部メインユニットを取り出して主に背面側を示す外観斜視図である。図４は、図３の内部メインユニットを分解して示す分解斜視図である。
【００１８】
まず、本発明の一実施形態のストロボ装置の詳細を説明するのに先立って、同ストロボ装置が内蔵されるカメラの構成を図１，図２等を用いて以下に簡単に説明する。
【００１９】
カメラ１は、図１，図２に示すように、前側カバー２と、背面カバー３と、ストロボ装置１４を含んで構成される内部メインユニット４と、撮像ユニット５等によって主に構成されている。
【００２０】
前側カバー２及び背面カバー３は、本カメラ１の外面を覆うように設けられる外装部材である。これら前側カバー２及び背面カバー３は、例えば金属製の薄板状部材を加工することにより形成される。
【００２１】
前側カバー２は、カメラ１の主に前面，左右両側面，上面，底面を覆うように形成される。前側カバー２の前面には、ストロボ装置１４のストロボ筐体１４ａの閃光発光部が配置される孔部２ａと、撮像ユニット５のレンズ鏡筒部５ａが配置される孔部２ｂとが形成されている。また、前側カバー２の上面には、本カメラ１の各種の操作部材１５のうち電源ボタン１５ａ，シャッターレリーズボタン１５ｂ，ズームボタン１５ｃ等が配設されている。
【００２２】
背面カバー３は、カメラ１の主に背面を覆うように形成される。背面カバー３には、表示装置３ａや複数の操作部材１５（例えばモード選択ダイヤル１５ｄ等）が配設されている。表示装置３ａは、例えば液晶表示装置等からなり、その表示画面部が外面に向くように配置されている。この表示装置３ａは、カメラ１の撮影動作時には撮像素子によって連続的に取得される画像信号を連続的に表示し続けることで撮影使用時の画像観察手段であるファインダーとして機能するようになっている。一方、カメラ１の再生動作時には記録媒体等に記録済みの画像データに基づく再生画像を各種の表示形態で表示する画像再生手段として機能するようになっているものである。
【００２３】
撮像ユニット５は、カメラ１の撮影動作時に必要となる複数の構成部材により形成されるユニットである。撮像ユニット５は、レンズ鏡筒部５ａ，撮像部（不図示）等によって構成されている。
【００２４】
なお、図面において詳細な図示は省略しており符合を附していないが、レンズ鏡筒部５ａは、例えば撮影光学系とその駆動機構，絞り機構，シャッター機構等と、各機構を駆動させる駆動部等によって構成されている。また、撮像部は、例えばＣＣＤ（Ｃｈａｒｇｅ  Ｃｏｕｐｌｅｄ  Ｄｅｖｉｃｅ；電荷結合素子），ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）等の撮像素子等からなる光電変換素子を含む複数の電気部品と、この光電変換素子からの出力に基いて各種の信号処理を行う電気回路等を形成する回路部等によって構成されている。なお、レンズ鏡筒部５ａや撮像部等の構成自体は、従来一般のカメラと同様の構成のものが適用される。したがって、例えば撮像部には、上記構成に加えて、像ブレ補正を行うために光電変換素子をシフト移動させる像ブレ補正機構等を含むように構成してもよい。
【００２５】
次に、本実施形態のストロボ装置１４を含んで構成される内部メインユニット４の構成について、主に図３，図４を用いて、以下に説明する。
【００２６】
内部メインユニット４は、例えば硬質の電気基板によって形成されるメイン基板１１と、本実施形態のストロボ装置１４を構成するストロボ筐体１４ａ及びストロボ用キャパシタ１２と、フレーム部１３等によって構成されている。
【００２７】
メイン基板１１は、本カメラ１の動作制御を実行するための各種の電気回路（例えばカメラ１全体を制御するメインコントロール回路，ストロボ装置１４の発光制御回路，電源回路，記録制御回路，表示制御回路，操作部回路等）が実装されている。そのためにメイン基板１１上には、例えばメインＣＰＵ，記録媒体収納部１１ａ，電池接点１１ｂ，セルフタイマー用ランプ１１ｃ，トリガーコイル１１ｄ，操作スイッチ等の電気部品や回路素子等及びストロボ装置１４やキャパシタ１２等から延出されるリード線１１ｅ等がそれぞれ所定の部位に対して半田付け等の手段によって接続され配設されている。また、同メイン基板１１には、表示装置３ａから延出されるフレキシブルプリント基板３ｂ（図２参照）等を接続するコネクタ類が設けられている。
【００２８】
フレーム部１３は、メイン基板１１やストロボ装置１４等の構成物（ユニット）を固定支持すると共に、電源用電池（不図示）を保持するための電池室１３ａを形成している。フレーム部１３の前面側の所定の部位には、装填された電源用電池を電池室外部へ排出するための排出ばね１３ｂを有し、この排出ばね１３ｂはメイン基板１１のグランドに接続されている（図１，図４参照）。また、内部メインユニット４を組み立てた状態としたとき（図３に示すようにメイン基板１１，フレーム部１３を一体化させた状態としたとき）にメイン基板１１の電池接点１１ｂがフレーム部１３の前面側の電池室１３ａ側に露呈するように、フレーム部１３には孔部１３ｃが形成されている（図４参照）。
【００２９】
本実施形態のストロボ装置１４は、フレーム部１３の上面側に固定支持されるストロボ筐体１４ａと、上記メイン基板１１上の発光制御回路と、上記キャパシタ１２等によって構成される。
【００３０】
ストロボ筐体１４ａは、発光を行うキセノン管と、このキセノン管からの発光の一部をカメラ１の前方に向けて反射させる反射傘と、この反射傘によって反射された反射光及びキセノン管からの発光が所定の範囲を照射するように拡散させる発光拡散板等の構成部材と、これらの構成部材を固定支持するボックス形状の筐体部材等によって構成されているなお、ストロボ筐体１４ａ内部の構成部材については、図示していない。
【００３１】
上述したように、メイン基板１１上には発光制御回路が実装されている。この発光制御回路は、例えば上記キセノン管の発光トリガーを行うトリガーコイル１１ｄ等の回路素子により形成されている。
【００３２】
図４に示すように、メイン基板１１は、電気基板の一部を切り欠いて形成される島部１１ｘを有している。ここで、島部１１ｘは、図４に示す二つの切欠部１１ｙによって挟まれる部位をいう。この島部１１ｘには、トリガーコイル１１ｄが実装配置されている。
【００３３】
そして、この島部１１ｘとトリガーコイル１１ｄとを取り囲むように電気的被覆を行う被覆手段である絶縁キャップ２１が配設されている。
【００３４】
絶縁キャップ２１は、例えばシリコーン材，ゴム部材，エンジニアリングプラスチック材等の非導電性の電気的絶縁材料によって、一つの開口を有する袋形状に形成されている。そして、絶縁キャップ２１の開口からメイン基板１１の島部１１ｘとトリガーコイル１１ｄとを被覆するように被せられている。つまり、絶縁キャップ２１は、開口の形成されている側の一方向から島部１１ｘに対して取り付けるようにしている。このとき、絶縁キャップ２１の内部に覆われた部材（島部１１ｘ，トリガーコイル１１ｄ）から延出されるリード線は、開口から導出させるようにしている。
【００３５】
このような構成により、絶縁キャップ２１は、ストロボ装置１４を発光動作させたときに、トリガーコイル１１ｄからトリガー放電が漏洩する等によって発生するキセノン管の不発光を抑止するようになっている。
【００３６】
なお、絶縁キャップ２１は、島部１１ｘに対して被せるように配設するのみであり、特に固着手段等を用いない。そのために、絶縁キャップ２１の内法と島部１１ｘの幅寸法は、適宜設定する。例えば、絶縁キャップ２１の材料として、シリコーン材，ゴム部材等の弾性により伸縮性を有する材料を用いた場合、絶縁キャップ２１の内法を島部１１ｘの幅寸法と略同寸法か、若しくは若干小さく形成するような設定にすれば、島部１１ｘに対して絶縁キャップ２１を装着したとき、絶縁キャップ２１は自身の弾性によって、容易に外れてしまうことがないように構成できる。
【００３７】
この構成により、絶縁キャップ２１は、固着手段を不要として配設することができるので、製造作業を煩雑化することなく良好な組立性を確保することが容易にできる。
【００３８】
以上説明したように上記一実施形態によれば、発光制御回路が実装されている電気基板であるメイン基板１１に島部１１ｘを設けて形成し、この島部１１ｘにトリガーコイル１１ｄを実装し、これら島部１１ｘとトリガーコイル１１ｄとを被覆手段である絶縁キャップ２１が取り囲むように配設している。
【００３９】
このように、極めて簡単な構成によってトリガーコイル１１ｄを電気的に被覆することができる。したがって、ストロボ装置１４の発光動作時にトリガーコイル１１ｄから生じる高電圧が他の電気回路中に加わることを容易に抑止することができ、確実なストロボの発光を行なうことができる。そして、この構成によって、トリガーコイル１１ｄから生じる電磁波に起因する悪影響を抑えることができ、よって良好な撮影結果を得ることができる。また、電気基板の一部に設けた島部と、これを電気的に被覆する絶縁キャップ２１とを設けるという簡単な構成であるので、装置を大型化してしまうようなこともなく、装置自体の小型構成を維持することができる。
【００４０】
なお、本実施形態においては、ストロボ装置１４の発光制御回路がカメラ１のメイン基板１１上に実装された形態を例に挙げて説明しているが、このような形態に限られることはない。例えば、ストロボ装置１４の発光制御回路がメイン基板１１に対して独立した形態の別基板上に実装された形態としてもよい。この場合には、その別基板上にトリガーコイル１１ｄを実装する島部を形成し、この島部及びトリガーコイル１１ｄを絶縁キャップ２１で取り囲むように配設して電気的被覆を行う構成とすればよい。
【００４１】
そして、上記一実施形態において例示する絶縁キャップの形態としては、図４に示すように、一方に開口を有する四角柱形状としているが、この形状に限ることはない。絶縁キャップ２１の形状としては、このほかに、例えば円筒形状，円錐形状，多角柱形状，球形状等が考えられる。つまり、絶縁キャップ２１が、島部１１ｘに装着されたときに、トリガーコイル１１ｄを被覆すると共に、開口からリード線を延出させるような形態であれば、どのような形状で形成しても構わない。
【００４２】
さらに、上記一実施形態では、メイン基板１１の島部１１ｘを形成するのに設けた二つの切欠部１１ｙは、図４に示すように直線状の形態として、島部１１ｘは略長方形状の平面を有するように形成した例を示しているが、これに限ることはなく、島部１１ｘの平面形状を上記一実施形態とは別の形状となるようしてもよい。
【００４３】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００４４】
１……カメラ
２……前側カバー
３……背面カバー
４……内部メインユニット
５……撮像ユニット
１１……メイン基板
１１ｄ……トリガーコイル
１１ｘ……島部
１１ｙ……切欠部
１２……ストロボ用キャパシタ
１３……フレーム部
１４……ストロボ装置
１４ａ……ストロボ筐体
１５……操作部材
２１……絶縁キャップ
【図１】
2010181735.tif 000003
【図２】
2010181735.tif 000004
【図３】
2010181735.tif 000005
【図４】
2010181735.tif 000006